(57)【要約】  緯糸カラー選択装置（１）を備えた織機であって、緯糸カラー選択装置によって、準備された複数の緯糸のうちの個々の緯糸が、選択された順番でグリッパに供給可能であり、緯糸カラー選択装置は糸ガイド（４）を有しており、糸ガイドによって、給糸装置から供給された緯糸（２）は、緯糸カラー選択装置（１）に供給可能である、織機が提供される。緯糸カラー選択装置（１）の糸ガイド穴（６）は、第１の駆動装置（８）によって、各差出し位置（１０）へともたらすことができ、選択された糸ガイド穴（６）は、それぞれ少なくとも１本の緯糸（２）を、選択してグリッパ（３）に提供し、杼口（１１）に緯入れするために収容している。第２の駆動装置（９）によって駆動される差出しニードル（１２）によって、グリッパ（３）に差し出される緯糸（２）は、差出し位置（１０）を介して引渡し位置へともたらされる。緯糸カラー選択装置（１）の各糸ガイド穴（６）は、少なくとも差出し位置（１０）で外面（１３）に向かって開かれており、糸ガイド穴を介して、選択された各緯糸（２）がグリッパ（３）に差出し可能であって、グリッパに差出しニードル（１２）によって引渡し可能である。差出しニードル（１２）は緯糸（２）を偏向なしに、糸ガイド穴（６）から、開かれた外面（１３）を介して導出する。緯糸カラー選択装置（１）は、糸ガイド穴（６）が形成されている少なくとも１つのカラーディスク（１４）または細長いエレメントを有している。
2022500573.tif 000002
【特許請求の範囲】
【請求項１】
緯糸カラー選択装置（１）を備えた織機であって、前記緯糸カラー選択装置によって、準備された複数の緯糸（２）のうちの個々の緯糸が、選択された順番でグリッパ（３）に供給可能であり、前記緯糸カラー選択装置は糸ガイド（４）を有しており、前記糸ガイドによって、給糸装置から供給された緯糸は、糸ガイド（４）を介して前記緯糸カラー選択装置（１）に供給可能であり、前記糸ガイドの第１の駆動装置（８）によって、前記糸ガイドの糸ガイド穴（６，６．１，６．２）を各差出し位置（１０）へともたらすことができ、前記糸ガイド穴（６，６．１，６．２）は、それぞれ少なくとも１本の緯糸（２）を、選択して前記グリッパ（３）に提供し、杼口（１１）に緯入れするために収容しており、差し出される前記緯糸は、第２の駆動装置（９）によって駆動される差出しニードル（１２）によって、前記差出し位置（１０）で前記グリッパ（３）に供給可能である、織機において、
前記緯糸カラー選択装置（１）の各糸ガイド穴（６，６．１，６．２）は、少なくとも前記差出し位置（１０）で外面（１３）に向かって開かれており、前記糸ガイド穴を介して、選択された各緯糸が前記グリッパ（３）に差出し可能であって、前記グリッパに前記差出しニードル（１２）によって引渡し可能であり、前記差出しニードルは前記緯糸を偏向なしに、前記糸ガイド穴（６，６．１，６．２）から、前記糸ガイド穴（６，６．１，６．２）の開かれた前記外面（１３）を介して導出することを特徴とする、織機。
【請求項２】
前記緯糸カラー選択装置（１）はカラーディスク（１４）を有しており、前記カラーディスクの糸ガイド穴（６，６．１，６．２）は、前記カラーディスクの外周領域に配置されていて、前記外面（１３）に向かって半径方向に延在するそれぞれ１つの開口を有していることを特徴とする、請求項１記載の織機。
【請求項３】
前記差出しニードル（１２）は、前記カラーディスク（１４）に関して、前記カラーディスク（１４）に対して半径方向に延びる少なくとも１つの方向成分でもって前記緯糸（２）を前記グリッパ（３）に引き渡すことを特徴とする、請求項１または２記載の織機。
【請求項４】
前記差出し位置（１０）に位置していない前記糸ガイド穴（６，６．１，６．２）は、前記各緯糸（２）を前記各糸ガイド穴（６，６．１，６．２）内に保持するための、スリット（１５）を有する遮蔽体（１６）によって閉鎖可能であり、前記カラーディスク（１４）は、前記スリット（１５）が、前記緯糸（２）を前記差出し位置（１０）から前記グリッパ（３）に引き渡すことができる前記糸ガイド穴（６，６．１，６．２）のみを常に解放するように、前記第１の駆動装置（８）によって前記遮蔽体（１６）に対して回動可能であることを特徴とする、請求項２または３記載の織機。
【請求項５】
前記カラーディスク（１４）は少なくとも２つの部分から形成されていて、第１の部分カラーディスク（１４．１）と第２の部分カラーディスク（１４．２）とを有しており、前記両部分カラーディスクは、制御可能な駆動装置（８．１，８．２）によって、互いに独立して駆動されていて、それぞれ前記外面に向かって開かれた糸ガイド穴（６，６．１，６．２）を有していることを特徴とする、請求項２から４までのいずれか１項記載の織機。
【請求項６】
前記第２の部分カラーディスク（１４．２）は、緯糸挿入方向で見て、前記第１の部分カラーディスク（１４．１）の平面に対して平行な平面に配置されていることを特徴とする、請求項５記載の織機。
【請求項７】
前記第１の部分カラーディスク（１４．１）は、その外周の湾曲に対して平行に形成された細長いスリット（２０．１）を有しており、前記細長いスリットは、前記第１の部分カラーディスク（１４．１）において、その外周を分離する通路（１５．１）を有しており、これにより、前記細長いスリット（２０．１）内でガイドされる緯糸（２）は、前記通路（１５．１）を介して前記差出しニードル（１２）によって前記グリッパ（３）に供給可能であることを特徴とする、請求項５または６記載の織機。
【請求項８】
前記通路（１５．１）は、前記第１の部分カラーディスク（１４．１）の中間に配置されていることを特徴とする、請求項７記載の織機。
【請求項９】
前記第１の部分カラーディスク（１４．１）と前記第２の部分カラーディスク（１４．２）とは、前記第２の部分カラーディスク（１４．２）の１つの糸ガイド穴（６．２）から１本の緯糸（２）を供給するために、前記１つの糸ガイド穴（６．２）を前記通路（１５．１）に重ねかつ前記差出しニードル（１２）によって前記第２の部分カラーディスク（１４．２）から前記第１の部分カラーディスク（１４．１）を介して前記グリッパ（３）に供給することができるように、互いに相対的に旋回可能に駆動されていることを特徴とする、請求項７または８記載の織機。
【請求項１０】
前記第１の部分カラーディスク（１４．１）の１つの糸ガイド穴（６．１）からの第１の緯糸と、前記第２の部分カラーディスク（１４．２）の１つの糸ガイド穴（６．２）からの第２の緯糸とを、前記差出しニードル（１２）によって把持し、前記グリッパ（３）に供給する二重緯入れのために、前記第２の緯糸をガイドする前記糸ガイド穴（６．２）に隣接して配置されている糸ガイド穴（６．２）内には緯糸が位置していないことを特徴とする、請求項５から９までのいずれか１項記載の織機。
【請求項１１】
前記第１の部分カラーディスク（１４．１）と前記第２の部分カラーディスク（１４．２）とは１つの平面に配置されていて、それぞれ、緯糸を前記グリッパ（３）に差し出すことができる作動位置から、緯糸（２）を前記グリッパ（３）に差し出さない休止位置へと旋回可能であることを特徴とする、請求項５記載の織機。
【請求項１２】
前記緯糸カラー選択装置（１）は、少なくとも１つの細長いエレメント（１７）として形成されており、前記細長いエレメントには、それぞれ１本の緯糸（２）をガイドする複数の糸ガイド穴（６）が互いに隣接して配置されていて、前記グリッパ（３）に面した外面（１３）で開かれていることを特徴とする、請求項１記載の織機。
【請求項１３】
前記細長いエレメント（１７）は、少なくとも１つのリニアモータの形態の前記第１の駆動装置（８）によって、前記グリッパ（３）にちょうど引き渡すべき緯糸（２）をガイドしている糸ガイド穴（６）を差出し位置（１０）へともたらすように、前記細長いエレメントの長手方向の延在において移動可能であることを特徴とする、請求項１２記載の織機。
【請求項１４】
前記差出し位置（１０）に位置していない前記糸ガイド穴（６）は、前記各緯糸（２）を前記各糸ガイド穴（６）内に保持するための、スリット（１５）を有する細長い遮蔽体（１８）によって閉鎖可能であり、前記細長いエレメント（１７）は、前記スリット（１５）に対して選択された前記差出し位置（１０）に位置している前記糸ガイド穴（６）のみが開かれているように、前記細長い遮蔽体（１８）に対して移動可能であることを特徴とする、請求項１２または１３記載の織機。
【請求項１５】
前記細長いエレメント（１７）は２つの別個の部材から成っており、両部材は、それぞれ移動のためにリニアモータを有していることを特徴とする、請求項１２から１４までのいずれか１項記載の織機。
【請求項１６】
前記差出しニードルは、旋回ブラケット（１９）として形成されていて、前記旋回ブラケットを非差出し位置から前記差出し位置（１０）を介して、選択された前記緯糸を前記グリッパに引き渡すことができる引渡し位置まで旋回させるための駆動装置を有しており、前記旋回ブラケット（１９）は、緯入れのために、前記細長いエレメント（１７）内に予め保持された前記緯糸（２）に前記旋回ブラケット（１９）が接触なしに上方から係合するようなブラケット高さで形成されていることを特徴とする、請求項１２から１５までのいずれか１項記載の織機。
【請求項１７】
前記差出しニードル（１２）は、前記グリッパ（３）への前記緯糸（２）の差出しの際に側方からの前記緯糸（２）の紛失を阻止する少なくとも１つの凹部（２１）を有していることを特徴とする、請求項１から１６までのいずれか１項記載の織機。
【請求項１８】
前記差出しニードル（１２）は、二重緯入れのために、二股フォークの形態の１つの二重凹部（２２）を有していることを特徴とする、請求項１から１７までのいずれか１項記載の織機。
【請求項１９】
それぞれ１本の緯糸（２）の挿入のための２つの差出しニードル（１２）が設けられていることを特徴とする、請求項１から１７までのいずれか１項記載の織機。
【請求項２０】
前記差出しニードル（１２）は、各緯糸（２）を前記グリッパ（３）にもたらす前記凹部（２１）内に、前記緯糸の張力と、緯止め装置として緯糸（２）の存在とを測定することができる緯糸張力測定センサ（２３）を有していることを特徴とする、請求項１から１９までのいずれか１項記載の織機。
【発明の詳細な説明】
【技術分野】
【０００１】
本発明は、請求項１の前提部に記載の特徴を有する、緯糸カラー選択装置を備えた織機に関する。
【背景技術】
【０００２】
多色の織布を製作する際に、様々な色および／または様々な材料特性の緯糸が使用される場合には、織機のための緯糸カラー選択装置が必要である。しかしながら、例えば緯糸引出しの際にボビンの負荷を減じるために、同じ緯糸材料を有した単色の織布にも、このような装置は使用される。このような形式の緯糸カラー選択装置は公知である。グリッパ織機で行われる緯糸差出しは、部分的には、最大１６色に合わせて設定された差出しが可能であることにより優れているが、これによりオペレータにとっては操作上の欠点が生じる。なぜならば特に、糸用穴が見づらいだけでなく、完全に隠されてしまうことが多く、もしくは緯糸の引込みが実際には困難となり、これは誤挿入につながるおそれがあるからである。
【０００３】
公知の緯糸差出しにはさらに、緯糸が、差し出されて、例えばグリッパに引き渡されるまでに、糸ガイド穴内で部分的に著しく偏向されなければならず、これにより緯糸繊維に全体的な損傷が生じるおそれがあるという欠点がある。特にこのような損傷が織布において見えるので、これにより、高品質の織布の製作は制限されている。
【０００４】
中国特許第１０１３１４８８１号明細書には、様々な色または種類の緯糸が、１つのカラー選択ディスクに相並んで配置された穴を通してそれぞれガイドされている緯糸カラー選択装置が記載されている。個々の穴を有したカラー選択ディスクにより、カラー選択ディスクの移動の際に、それぞれ挿入すべき緯糸を、差出しニードルが緯糸をグリッパに引き渡すことができる位置へともたらすことができる。グリッパはカラー選択装置の下方で動くので、各緯糸は、グリッパが糸を受け取ることができるように、緯糸がカラー選択ディスクから出た直後に、差出しニードルによって下方に向かってグリッパへと押されなければならないもしくはガイドされなければならない。この場合、緯糸損傷の可能性を伴う緯糸の著しい偏向が余儀なくされる。
【０００５】
中国特許出願公開第１０５２７４７１２号明細書には、緯糸カラー選択装置として、カラー選択ディスクが記載されており、このカラー選択ディスクは、その外周に、異なる色および／または異なる種類の緯糸をガイドするガイド穴を有している。この公知の緯糸カラー選択装置では、カラー選択ディスクに対して差出しニードルがすぐ近くに配置されていることが記載されており、これによりグリッパに緯糸を供給する際には、緯糸を幾分丁寧に取り扱うことが保証されてはいるが、それにもかかわらず、各緯糸は、緯糸を杼口に挿入する前に把持するグリッパへ緯糸を引き渡す際に比較的大きく偏向される。カラー選択ディスクにおける閉じられた穴内でのこのような看過できない偏向は、緯糸のガイドのためには最適であるが、緯糸は必ずしも穏やかにガイドされるわけではない。
【０００６】
独国特許出願公開第３８０８７７７号明細書には、複数本の緯糸のうちの１本をグリッパプロジェクタイルに選択的に供給するための装置が記載されている。各個々の緯糸のためには、この緯糸を保持するためのフィーダクランプが設けられており、これにより各緯糸をグリッパに供給することができる。クランプ装置は、回動可能に取り付けられたリングとして形成されていて、このリングはリングクランプを有し、このリングクランプの円形移動進路においてリングクランプが、フィーダクランプから解放された緯糸をグリッパ通路の仮想延長線を横切る方向に導いている。準備すべき緯糸の数に相応に設けられた複数のフィーダクランプは、各クランプ作用を実施するための相応の装置を備えており、機械的に極めて複雑であり、例えば緯糸交換の際の緯糸に対するアクセス性の問題も、フィーダクランプによるクランプ作用による緯糸損傷も解決していない。
【０００７】
さらに、特開２００１−１３１８４７号公報には、緯糸カラー選択装置が記載されていて、この装置では、緯糸リングに、緯糸をガイドする複数の緯糸ガイド穴が設けられている。緯糸リングの回動により、選択された緯糸が常に、所定の位置へともたらされ、この位置からこの緯糸は、旋回可能なレバーによって、その先端の鉤で把持され、杼口内に挿入するために引き渡され得る。この公知の緯糸カラー選択装置の欠点は、回動可能な緯糸リングが、不動の緯糸リングに対して回動させられることにある。したがって、１つの所定の緯糸を差し出すもしくは選択する際には、不動の緯糸リングと回動可能な緯糸リングとの間に配置された全ての緯糸が回動させられて、これによりこれらの緯糸は、部分的に、閉じられた糸ガイド穴内で著しく偏向される。
【０００８】
欧州特許第１５００７３１号明細書には、唯１つの送りロッドを備えた織機のための緯糸送り装置が記載されている。緯糸ガイドは、孔付プレートと送りフォークとを有しており、それらの動きは、連結伝動装置を介して互いに連結されている２つの駆動装置によって制御される。一方の駆動装置は、送りフォークの線形運動のために設けられていて、他方の駆動装置は、回転運動もしくは旋回運動のために設けられている。カラー選択装置は、カラー選択ディスクを有しておらず、全ての緯糸ガイド穴において、閉じられた穴しか設けられていないので、緯糸は、例えばグリッパによって把持されるために差し出されるまで、部分的に、複数回のしかも著しい偏向を受ける。
【０００９】
そして最後に、英国特許出願公告第１００２０９３号明細書には、グリッパを備えた織機のための緯糸交換装置が記載されている。緯糸を別の色の緯糸に交換するために、閉じられた穴を有した１つのプレート状のレバーが、引渡し点の方向にグリッパへと移動させられる。しかしながら別の色の各緯糸は、固有のプレート状のレバーを有している。
【発明の概要】
【発明が解決しようとする課題】
【００１０】
これに対して、本発明の課題は、公知の装置の欠点、例えば定置の糸ガイドとカラー選択ディスクとの間の緯糸のねじれを回避し、緯糸提供の際の偏向に起因する緯糸の損傷を最小限に抑えるかまたは排除する、織機のための緯糸カラー選択装置を提供することである。本発明のさらなる課題は、差出しの際に、オペレータにとって快適な緯糸引抜きが不可能となってしまうほど、糸用穴へのオペレータの視界を遮ることがなく、そして、並設ピッチを著しく小さくする必要なしに、すなわち、並設密度を著しく高める必要なしに、できるだけ多数の挿入のための緯糸を予め保持することができる、織機のための緯糸カラー選択装置を提供することにある。
【課題を解決するための手段】
【００１１】
この課題は、請求項１の特徴を有する織機により解決される。有利なさらなる構成は、従属請求項に規定されている。
【００１２】
本発明によれば、織機は、緯糸カラー選択装置を有していて、緯糸カラー選択装置によって、準備された複数の緯糸のうちの個々の緯糸を、選択された順番でグリッパに供給可能である。緯糸カラー選択装置は糸ガイドを有しており、糸ガイドによって、給糸装置から供給された緯糸は、糸ガイドを介して緯糸カラー選択装置に供給可能である。緯糸カラー選択装置は糸ガイド穴を有しており、この糸ガイド穴は、カラーディスクのための第１の駆動装置によって、選択された各緯糸を各差出し位置へともたらすことができるように移動可能である。糸ガイド穴は、それぞれ少なくとも１本の緯糸を、選択してグリッパに提供し、杼口に緯入れするために収容している。緯糸カラー選択装置は、織りたい織布のために必要な様々な色または様々な材料の複数の緯糸を予め保持することができるような数の糸ガイド穴を有しており、これにより、緯入れのために準備された複数の緯糸から、その都度、織布の織りパターンに必要なものが選択される。
【００１３】
差出し位置とは、選択された緯糸のための糸ガイド穴が、その半径方向に関してグリッパに割り当てられているように、グリッパに供給すべき緯糸を内部でガイドしている糸ガイド穴が位置決めされる位置を意味している。
【００１４】
第２の駆動装置によって駆動される差出しニードルは、いまや、緯入れのために選択された緯糸を、差出し位置からグリッパへと供給し、グリッパでこの緯糸は挟持され、これによりこの緯糸は、杼口を通るグリッパの運動により杼口内に挿入される。予め保持された緯糸の数に関係なく、カラーディスクおよび差出しニードルのこのような配置によって、各緯糸が、同じ位置から、実質的に同じ条件下でグリッパに供給されることが保証される。すなわち各緯糸に対して、グリッパへの引渡しの際に同じ条件が存在している。このような配置のプラスの側面は、提供される緯糸の調整およびグリッパによる収容位置が著しく容易になることにある。例えば緯糸数に相当する数の差出しニードルを備えた公知のシステムでは、最初の差出しニードルと最後の差出しニードルとの間の間隔が大きくなり、これにより、このシステムではエラーが生じ易い。
【００１５】
本発明によれば、緯糸カラー選択装置の糸ガイド穴は、少なくともその差出し位置で外面に向かって開かれているように形成されている。この場合、外面とは、緯糸を杼口内に挿入するグリッパもしくはクランプ機構に面している、糸ガイド穴の側を意味している。少なくとも、緯糸をちょうどグリッパに差し出す糸ガイド穴が、グリッパの方向で開かれていることにより、選択された緯糸をグリッパに引き渡すために、緯糸が差出しニードルによって把持されてグリッパに供給される場合に、緯糸は、偏向されることなく、糸ガイド穴から、その開かれた外面を介して導出される。これは、挿入するために設けられた緯糸を差出しニードルによって引き渡す際に、選択された緯糸はもはや決して偏向されないので、糸ガイド穴からグリッパへの緯糸の極めて穏やかな引渡しとなる。したがって、そうでない場合に存在していた極めて激しくもある偏向に起因する緯糸の損傷は、本発明によれば排除されている。
【００１６】
本発明の第１の実施例によれば、緯糸カラー選択装置は、規定数の糸ガイド穴を備えたカラーディスクを有しており、これらの糸ガイド穴は、カラーディスクの外周領域に配置されており、各糸ガイド穴は、カラーディスクの外面に向かって半径方向に延在するそれぞれ１つの開口を有している。
【００１７】
好適には、カラーディスクは第１の駆動装置によって回動するように駆動されていて、これにより、選択された緯糸は、その糸ガイド穴と共に、もしくは糸ガイド穴の開口と共に、その開口がグリッパに向いていて、ひいては、グリッパに対する差出し位置をとるように、回動させられることが保証される。これは、本明細書では、糸が、糸ガイド穴のその開口でグリッパに方向付けられていて、したがって、差出し位置において次のステップで差出しニードルによって把持され、直接グリッパに供給することを意味している。すなわち、差出し位置は、緯糸が、差出しニードルによってグリッパに引き渡されるときに直接とっている位置ではない。グリッパへ向かう方向に差出しニードルが移動することにより、選択された緯糸は、開かれた糸ガイド穴から導出され、これによりグリッパに供給することができる。これは、糸ガイド穴の開口部が、グリッパに向いていて、この位置で差出しニードルが好適には、カラーディスクの外面に向かう糸ガイド穴の開口の方向で緯糸を把持し、グリッパに供給することにより可能である。
【００１８】
しかしながら差出しニードルの移動は、カラーディスクの旋回点および緯糸を供給すべき糸ガイド穴の開口を通って延在する線の半径方向に必ずしも行われなくてもよい。むしろ、差出しニードルが、カラーディスクに関して、カラーディスクに対して半径方向に延びる少なくとも１つの方向成分でもって緯糸をグリッパに引き渡せば十分である。差出しニードルの移動の正確な半径方向からのずれは、構造条件または機能条件に基づいていてよい。
【００１９】
好適には、差出し位置に位置していない開かれた糸ガイド穴は、各緯糸を各糸ガイド穴内に保持するための遮蔽体によって閉鎖可能であるか、もしくは安全確保されているか、もしくは遮断されているか、もしくは場合によってはカバーもされており、糸ガイド穴を閉鎖する遮蔽体はスリットを有しており、このスリットは、常に差出し位置に配置されていて、挿入すべき緯糸のためにカラーディスクを糸ガイド穴の開口でスリットに対して位置決めした後、結果的にグリッパに向いている。これにより、導入すべき緯糸を偏向なしに、開かれた糸ガイド穴から、遮蔽体のスリットを通ってグリッパへと供給することができる。カラーディスクは、スリットが、緯糸をグリッパに引き渡す糸ガイド穴のみを常に解放するように、第１の駆動装置によって遮蔽体に対して回動可能である。
【００２０】
遮蔽体は、緯糸の供給方向で見て、カラーディスクの手前、カラーディスクの高さ、またはカラーディスクの後方に配置されていてよい。遮蔽体がカラーディスクの手前または後方に配置されている場合には、遮蔽体は、好適にはカラーディスクと同様のディスクまたはディスクセグメントとして、二重のディスク装置の形態で形成されていて、差出し位置に配置されている、外周に向かって半径方向に延在するスリットを有しており、このスリットは、その差出し位置にあるカラーディスクの各糸ガイド穴のために、グリッパへの緯糸の偏向のない供給を可能にする分離部を成している。遮蔽体は、好適にはカラーディスクに密に、好適にはカラーディスクに接触してさえ、配置されている。
【００２１】
カラーディスクの高さにもしくはカラーディスクが延在する平面に遮蔽体が配置されている場合には、遮蔽体は好適にはリングセグメント状の遮蔽体として形成されていてよく、この遮蔽体は、いわばリングもしくはリングセグメントとして、空間的に不動にカラーディスクの周囲に位置し、好適にはカラーディスクを取り囲んでいて、したがって、差出し位置へと回動させられた糸ガイド穴以外の、カラーディスクの糸ガイド穴をカバーしており、差出し位置に遮蔽体は、緯糸の偏向のない導出およびグリッパへの供給のためのスリットを有している。好適には、通常、開かれた糸ガイド穴を有するカラーディスクの外周に、カラーディスクの平滑な外周に形状が一致しているリングセグメント状の遮蔽体が取り付けられている。このリングセグメント状の遮蔽体は、開かれた糸ガイド穴を閉鎖するために、しかも、差出し位置で差出しニードルによって直接グリッパに引き渡される緯糸の糸ガイド穴以外を閉鎖するために機能する。外側に向かって開かれたその他の糸ガイド穴の閉鎖は、それぞれ開かれた糸ガイド穴から緯糸が脱落しないためにもしくは紛失されないために機能する。
【００２２】
グリッパによる緯糸の収容後、杼口内への挿入により引っ張られた糸は、差出しニードルの移動によりスリットを通ってカラーディスクの糸ガイド穴内へ戻され、したがって偏向なしに挿入される。差出しニードルが出発位置に達するとすぐに、新たに差し出すための差出し位置へと、カラーディスクを回動させることができるか、または挿入すべき色が同じ場合には、カラーディスクの差出し位置は留められる。
【００２３】
さらなる実施例によれば、カラーディスクは好適には２つの部分から形成されている。好適には、第１の部分カラーディスクと第２の部分カラーディスクとが設けられており、両部分カラーディスクは、制御可能な駆動装置によって互いに独立して駆動されており、本発明によれば同様にそれぞれ外面に向かって開かれた糸ガイド穴を有している。カラーディスクが、厳密に２つのカラーディスク、すなわち第１の部分カラーディスクと第２の部分カラーディスクとから成っていて、各部分カラーディスクがそれぞれ他方に依存せずに、制御可能な駆動装置によって駆動されていることにより、２つの部分カラーディスクと差出しニードルとのもとで、いわば少なくとも３つの、好適には互いに独立した駆動装置、つまり、各部分カラーディスクのためのそれぞれ１つの駆動装置と、差出しニードルのための１つの駆動装置とが必要となる。しかしながら、さらなる部分カラーディスクを設けることもでき、この場合、各部分カラーディスクは、別個の駆動装置を有している。２つ以上の差出しニードルを設けることもでき、これにより、１つの差出しニードルにつき、場合によってはそれぞれ１つの駆動装置が設けられている。
【００２４】
第２の部分カラーディスクは、緯糸挿入方向で見て、第１の部分カラーディスクの手前または後方の平面に、第１の部分カラーディスクに対して実質的に平行に配置されていてよい。第２の部分カラーディスクは、第１の部分カラーディスクに対していわば層状の配置で形成されている。この場合、層状の配置とは、単に空間的な配置を意味する。第１の部分カラーディスクへの接続は、単に、各部分カラーディスクが、それぞれ他方の部分カラーディスクに対して相対的に独立した旋回を行うことができるようにする別個の駆動装置を両部分カラーディスクが有するという観点でのみ行われる。しかしながら、両部分カラーディスクの互いの旋回運動は、各緯糸、しかも、第１の部分カラーディスクの糸ガイド穴内にガイドされている緯糸と、第２の部分カラーディスクの開かれた糸ガイド穴内にガイドされている緯糸とをグリッパに差し出し可能とするため、外面に向かって開かれた糸ガイド穴の位置を互いに合わせることができるように適合させられなければならない。好適には、第２の部分カラーディスクの旋回点から外面までの半径方向の延在は、第１の部分カラーディスクのこのような半径方向の距離よりも小さい。
【００２５】
部分カラーディスク相互の実質的に平行な配置には、機能または配置に起因して１５°〜２０°であってよい、平行性からの小さなずれも含まれるべきである。
【００２６】
好適には、第１の部分カラーディスクは、外周でかつ外周に向かって開かれた糸ガイド穴に加えて付加的に、第１の部分カラーディスクの外周の湾曲に対して実質的に平行に形成された細長いスリットを有している。この細長いスリットは、第１の部分カラーディスクのいわば内側にほぼ同じ湾曲で、外側に向かって開かれた糸ガイド穴に直接接続されることなく延在している。第１の部分カラーディスクの細長いスリットには、細長いスリットの内部から、第１の部分カラーディスクの外面にまで、もしくは外周までを接続する通路もしくはスリットが設けられている。湾曲した細長いスリットの内部でガイドされている緯糸は、この細長いスリットによって、第２の部分カラーディスクの各糸ガイド穴から誤って脱落することはない。それどころか、そこで細長いスリット内にガイドされているこれらの緯糸は、通路もしくはスリットを介して導出することしかできない。したがって、第２の部分カラーディスクからグリッパに供給される緯糸は、第１の部分カラーディスクを介して導出される。なぜならば、導出が、細長いスリットを第１の部分カラーディスクの外面に接続する通路を介して行われるからである。好適には、通路は第１の部分カラーディスクの中間に配置されている。しかしながら、特定の使用例のためには、この通路を偏心させて設けることも可能である。この場合、中間への通路の配置とは、第１の部分カラーディスクがディスクセグメントとして形成されていて、その角の二等分線が通路の配置に一致することを意味している。
【００２７】
第１の部分カラーディスクおよび第２の部分カラーディスクの両方から緯糸を確実に導出し、差出しニードルによってグリッパに供給することができるようにするために、第１の部分カラーディスクと第２の部分カラーディスクとは、第２の部分カラーディスクにおける各糸ガイド穴から１本の緯糸を供給するために、この糸ガイド穴を通路に重ね、これにより差出しニードルによって第２の部分カラーディスクからこの通路を介して、すなわち第１の部分カラーディスクを介して、この緯糸をグリッパに供給可能であるように、互いに相対的に旋回可能に駆動されている。第１の部分カラーディスクと第２の部分カラーディスクとはしたがって、第１の部分カラーディスクの通路が緯糸と常に一致し、ひいては、第２の部分カラーディスクの、相応の１本の緯糸をグリッパに供給して杼口に挿入すべき糸ガイド穴と常に一致するように旋回させられる。
【００２８】
二重緯入れの場合には、唯１つの差出しニードルによって２本の緯糸を同時にグリッパヘッドに供給することができるようにするために、二重の収容穴、すなわち、二重凹部を有することができる、２本の緯糸のために設けられた差出しニードルが、第１の緯糸を第１の部分カラーディスクの１つの糸ガイド穴から、二重凹部によって把持し、グリッパに供給することができ、かつ相応の第２の緯糸を第２の部分カラーディスクの１つの糸ガイド穴から、二重凹部によって把持し、グリッパに供給することができることに注意する必要がある。このためには、緯糸が、第２の部分カラーディスクの、第２の緯糸をガイドするガイド穴に隣接して位置していてはならない。なぜならば、さもないと、差出しニードルが別の緯糸を把持するおそれがあるからである。しかしながら、この別の緯糸を差出しニードルが糸ガイド穴から導出して、グリッパに供給することはあり得ない。なぜならば、糸ガイド穴が第１の部分カラーディスクの細長いスリットの通路のところに位置していないからである。
【００２９】
別の実施例によれば、第１の部分カラーディスクと第２の部分カラーディスクは、緯糸供給方向で見て、相前後して配置されておらず、実質的に１つの平面に配置されており、この平面は、緯糸供給方向に対して実質的に垂直に延在している。この実施例によっても、第１の部分カラーディスクと第２の部分カラーディスクとは、それぞれ１つの固有の駆動装置を有しているので、両部分カラーディスクは、実質的に互いに独立して動かすこともできる。
【００３０】
この実施例によれば、カラーディスクはディスクセグメントとして形成されていて、好適には、セグメントを二等分する角度の真ん中で分割されている。両部分カラーディスクのための別個の駆動装置により、例えば、一方の部分カラーディスクを作動位置から休止位置へと動かすことができ、これにより、所定の時間の間、少なくとも、作動位置に位置している他方の部分カラーディスクの緯糸のみをグリッパに供給することができる。このような作動形式は、例えば、予め保持すべき緯糸数が比較的多く、したがって、カラーディスクのセグメント角度が全体として比較的大きく、ひいては、例えば、カラーディスクを見る視線方向においてかなり左側に配置されている１本の緯糸を、同じ視線方向においてかなり右側で糸ガイド穴内に配置されている１本の緯糸と置き換えるために、比較的大きな旋回距離を要する場合に有利である。例えば、挿入すべき緯糸の種類に応じて、部分カラーディスクのうちの一方でその糸ガイド穴内にガイドされている所定数の緯糸が、予め規定された織り時間中に使用される場合には、この作動位置において、確実な作動と、この一方の部分カラーディスクのみを介した相応の緯糸の確実な提供とを達成することができる。それほど頻繁に使用されるわけではない緯糸を挿入すべき場合に初めて、または緯糸の第２のグループがごくたまに必要とされる場合に、作動位置にあった部分カラーディスクを作動位置から休止位置へと旋回させることができる。その後、他方の部分カラーディスクが、休止位置から、目下所望される作動位置へと戻し旋回させられる。とりわけ、全てが同じ時間で常に同じ頻度で使用されるわけではない多数の緯糸がある場合には、このような形式の分割されたカラーディスクは、カラーディスクが動く移動距離を短縮するという利点を有している。
【００３１】
しかしながら、さらに、両部分カラーディスクのための駆動装置は互いに独立して駆動することができるという事実に基づき、挿入される緯糸の使用頻度がそれほど異なってはいないある特定の使用例のためには、両部分カラーディスクのための両駆動装置を、両部分カラーディスクの動きが、統合されたカラーディスクの形式で、あたかもカラーディスクが一体に形成されているかのように行われるように、互いに適合させることもできる。したがって、カラーディスクを２つの部分カラーディスクに分割することにより、１つだけのカラーディスクが、分割されていない構成形式で設けられている場合よりも、相応に挿入すべき緯糸の選択における、全体的に優れた柔軟性が提供される。
【００３２】
第２の実施例によれば、緯糸カラー選択装置は、少なくとも細長いエレメントとして形成されており、この細長いエレメントには、複数の糸ガイド穴が互いに隣接して配置されていて、それぞれ少なくとも１本の緯糸をガイドしている。これらの糸ガイド穴も、細長いエレメントの、グリッパに面した縁部で開かれている。これにより、差出し位置に位置していてちょうど挿入すべき緯糸のみをグリッパに供給できることが保証される。しかしながら、その他の緯糸が開かれた糸ガイド穴から、意図せずまたは不都合にも脱落しないように、好適には細長い遮蔽体として形成された、細長いエレメントの差出し位置にスリットを備えた遮蔽体が設けられている。
【００３３】
糸ガイド穴はその縁部において、グリッパが作動する平面に向かう方向に開かれている。これにより、糸ガイド穴の開かれた縁部を介してその都度杼口に挿入される緯糸が、差出し位置で偏向なくグリッパに供給されることが保証されている。導入すべき緯糸を差し出す際に、緯糸が著しく偏向されることのないように、細長いエレメントひいては糸ガイド穴もしくは緯糸を杼口内に挿入すべき糸ガイド穴は、緯糸を、この開かれた糸ガイド穴から細長い遮蔽体のスリットを介して導出してグリッパへと供給することができるようになるところまで、不動の細長い遮蔽体を基準としてグリッパに向かう方向に対して横方向にスライドもしくは移動させられる。
【００３４】
好適には、細長いエレメントは、好適にはリニアモータである第１の駆動装置を有している。この第１の駆動装置は、細長いエレメントをその長手方向延在の方向で、スライド、引っ張りまたは押圧により動かし、しかも、グリッパに引き渡すべき緯糸をちょうど有している糸ガイド穴が、遮蔽体のスリットに通じる差出し位置に到るように動かす。しかしながら、この駆動装置は、好適には液圧シリンダまたは空気圧シリンダであってもよく、この場合、この第１の駆動装置は、細長いエレメントをその長手方向延在おいて運動させるための線形の駆動運動を可能にするように形成されている。このことは、カラーディスクのためにも同様に使用可能である、例えば歯付きベルト、カム等のような公知の機械的なシステムを介しても同様に可能である。しかしながら、細長いエレメントは２つの別個の部材から成っていてもよく、これらの部材は、それぞれ長手方向延在で移動するために、固有の第１の駆動装置を有している。これにより、緯糸カラー選択装置の著しいコンパクト性を得るために、細長いエレメントの長さを、例えば半分にできることを保証することができる。
【００３５】
好適には、差出し位置に位置していない開かれた糸ガイド穴は、各緯糸を各糸ガイド穴内に保持するための細長い遮蔽体によって、糸ガイド穴の縁部に向かって閉鎖されている、もしくはカバーされている、もしくはカバー可能である、または閉鎖可能である。すなわち、細長いエレメントは、その都度選択された差出し位置に位置している糸ガイド穴のみが開放維持されるように、細長い遮蔽体に対して移動可能である。なぜならば、そこに細長い遮蔽体がスリットを有しているからである。この糸ガイド穴からは、杼口内に挿入するために設けられた緯糸が差出しニードルによってグリッパにもたらされる。好適には、差出しニードルは、旋回ブラケットとして形成されていて、旋回ブラケットを非差出し位置から、差出し位置を介して引渡し位置へと旋回させるための第２の駆動装置を有している。各緯糸が細長いエレメントの開かれた糸ガイド穴と共に差出し位置に位置している場合、旋回ブラケットは、緯入れのために細長いエレメント内に予め保持された緯糸が、差出しニードルによって接触なしに上方から係合するようなブラケット高さで形成されている。細長いエレメントの２つの部分エレメントが互いに重なり合って配置されている場合には、旋回ブラケットのブラケット高さは確かに大きくなるが、このような場合、ブラケット長さは短くなるので、安定性は高くなり、振動に対して敏感な傾向は減じられる。
【００３６】
細長い遮蔽体は、その対応する細長いエレメントに対して空間的に不動に、好適にはカラーディスクの形態の緯糸カラー選択装置を有する実施例と同様に、緯糸供給方向で見て、細長いエレメントの手前または後方にまたは細長いエレメントの高さで配置されている。好適には、細長い遮蔽体は、細長いエレメントに可能な限り密に、好適には滑り接触するように配置されている。「細長いエレメントの高さで」とは、細長いエレメントが細長い遮蔽体に沿って滑動するようにまたは細長い遮蔽体に密に配置されていることを意味し、これにより細長いエレメントの動きは、緯糸を挿入すべき糸ガイド穴をスリットへと、すなわち差出し位置へとガイドするまで行われる。
【００３７】
好適には、差出しニードルはその前方領域に、同様に開かれた穴の形態の凹部を有している。この凹部は、差出しニードルによってグリッパへと搬送すべき緯糸が、この緯糸をグリッパに差し出している間に側方から紛失されることを阻止している。当然ながら、凹部を備えた構成の差出しニードルは、カラーディスクのためにも、相応に開かれた糸ガイド穴を有する細長いエレメントのためにも使用可能である。
【００３８】
二重緯入れのために、差出しニードルは好適には、二股フォークの形態の１つの開かれた二重凹部を有している。このような形式の二重凹部によって、隣接する２本の緯糸を同時に１つのグリッパに供給することができる。好適には二重凹部のサイズは、細長いエレメントまたはカラーディスクにおける糸ガイド穴に、もしくは、細長いエレメントまたはカラーディスクにおける隣接する２つの糸ガイド穴の間隔に合わせられている。二重緯入れを実現するために、細長い遮蔽体に設けられた、またはカラーディスクのための遮蔽体に設けられた、挿入すべき緯糸を解放するためのスリットは、二重緯入れのために設けられた緯糸を両方とも実質的に同時に差出しニードルによって各糸ガイド穴から導出してグリッパに引き渡すことができるような幅を有して形成されている。
【００３９】
好適には、グリッパへの緯糸の差出しのために、それぞれ１本の緯糸を挿入するための２つの差出しニードルを備えたシステムも設けられている。これにより、緯糸カラー選択装置を備えた本発明による織機の柔軟性が高められる。なぜならば、これにより、構造的な改造をせずに、単に１本の緯糸の差出しだけでなく、２本の緯糸の差出し、しかも、１つのグリッパへの同時の差出しが可能となる。
【００４０】
本発明のさらなる実施例によれば、１つまたは複数の差出しニードルはその各凹部内に、緯糸がこのような凹部に存在している場合に緯糸張力と、緯止め装置として緯糸の存在とを測定することができる組み付けられた緯糸張力測定センサを有している。これにより、織り過程の最適化のために必要なもしくは所望の糸張力を調整することができる。
【００４１】
本発明の構成のさらなる利点、詳細、ならびに利用可能性を、以下に、添付の図面を参照しながら詳しく説明する。
【図面の簡単な説明】
【００４２】
【図１】カラーディスクの形態の緯糸カラー選択装置を示す図であって、この場合、挿入すべき緯糸を備えた糸ガイド穴は、差出し位置に位置している。
【図２】図１によるカラーディスクを備えた緯糸カラー選択装置を示す図であって、この場合、差出しニードルは二重緯入れ用に形成されている。
【図３】供給すべきではない緯糸のための開かれた糸ガイド穴を閉鎖しかつ安全確保するための、リングセグメント状の遮蔽体を備えたカラーディスクを、グリッパへの引渡し位置にある緯糸と共に示す図である。
【図４】本発明の第２の実施例による細長いエレメントの形態の緯糸カラー選択装置を３次元的に示す図である。
【図５】図４とは異なる３次元的な図で緯糸カラー選択装置を示す図である。
【図６】部分カラーディスクの基本構造、ならびに単一緯入れのためのかつ二重緯入れのための第１および第２の部分カラーディスクによる緯糸差出しの原理を示す図である。
【図７】図１の基本構造の緯糸カラー選択装置であるが、第１および第２の部分カラーディスクを備えた実施例により示す図である。
【図８】図７の例を拡大して、緯糸がグリッパに差し出される瞬間で示す図である。
【図９】図７および図８による実施例を、側方からの視線方向で３次元的に示す図である。
【図１０】図７の実施例であるが、二重緯入れのための実施例を示す図である。
【図１１】図７の実施例を、後方から遮蔽体を見る視線方向で、差出しニードルによって把持された緯糸と共に示す図である。
【図１２】同じ旋回平面に配置された２つの部分カラーディスクを備えた別の実施例を示す図である。
【図１３】図１１の実施例であるが、二重緯入れのための実施例を示す図である。
【図１４】第２の部分カラーディスクの糸ガイド穴から単一緯入れのための図７による実施例を示す図である。
【図１５】図１４と同様の実施例であるが、二重緯入れのための実施例を示す図である。
【発明を実施するための形態】
【００４３】
図１には、拡開された杼口１１を有した織布区分が示されており、この織布区分の側方には、本発明の第１の実施例によるカラーディスク１４の形態の本発明による緯糸カラー選択装置１が示されている。カラーディスク１４は、実際の糸ガイド４を成しており、その外周に、給糸装置（図示せず）から緯糸カラー選択装置１に供給される緯糸のための糸ガイド穴６を有している。通常、各糸ガイド穴６内には１本の緯糸２が位置している。糸ガイド穴は、糸ガイド穴６の外縁もしくは外面１３もしくは糸ガイド穴６の開口からカラーディスク１４の内部へと凹設されている。
【００４４】
緯糸カラー選択装置１はさらに差出しニードル１２を有していて、差出しニードルは、その前端部に、フォーク状に形成されている凹部２１を有しており、これにより、カラーディスク１４が差出し位置１０に到るとすぐに、差出しニードル１２の前端部のフォークの先端の間で緯糸２が、グリッパ３の方向への差出しニードル１２の下降運動によりグリッパに供給され、このグリッパ内に緯糸は挟持される。通常、緯糸は、再び供給されるまで、織布縁部でタック耳にて保持される。
【００４５】
杼口１１内に挿入すべき緯糸２を挟むグリッパ３は、グリッパガイドレール２６に沿ってガイドされていて、緯糸２の挟込みが行われた後、杼口１１を通ってグリッパが移動する際に緯糸２を連れて移動し、これにより、緯糸は杼口１１内に挿入される。次いで、ここには図示されていない筬打ち装置の動きによって、緯糸２は接合点に当て付けられ、したがって、織布および縁部もしくはタック耳にて接合される。後続の杼口１１の、接合に依存した新たな開口の形成により、緯糸２は織布２４内で接合される。
【００４６】
カラーディスク１４は、第１の駆動装置８を有していて、第１の駆動装置により各糸ガイド穴６は差出し位置１０に回動させられる。これにより、カラーディスク１４を、挿入すべき緯糸に関して非差出し位置（図示せず）から差出し位置１０へともたらした後で、差出しニードル１２を降下させると、差出しニードル１２とそのフォーク状の端部とによって、差出しニードル１２の降下により、緯糸２は、糸ガイド穴６から偏向なしに導出され、緯糸を挟むためのグリッパ３に引き渡される。挟み込みが行われた後は、新たな緯入れが実現される。差出しニードル１２の移動は、第２の駆動装置９によって行われる。
【００４７】
使用可能な様々な色の数または緯糸のための様々な材料は、カラー選択ディスク１４に設けられた糸ガイド穴６の数により規定される。
【００４８】
この実施例では、緯糸カラー選択装置は、２つのディスクセグメントから成る二重の装置として形成されている。緯糸の供給方向における手前側に配置されたディスクセグメントは、緯糸の供給方向における後方側に配置されたディスクセグメント１４の、緯糸が杼口に挿入されるべきではない開かれた糸ガイド穴を閉鎖するために機能する遮蔽体１６を成している。遮蔽体１６として形成された手前側のディスクセグメントは、不動の位置を有しているのに対し、開かれた糸ガイド穴を備えて形成されたディスクセグメント１４は遮蔽体１６に対して回動可能である。各糸ガイド穴では、少なくとも１本の緯糸がガイドされている。カラーディスク１４の形態の、糸ガイド穴６が設けられたディスクセグメントは目下、規定されたもしくは選択された緯糸２をグリッパ３に引き渡すべきである糸ガイド穴６がスリット１５（図３参照）と一致して、これにより供給すべき緯糸を、偏向させずに、糸ガイド穴６からグリッパ３へと供給することができるように回動させられている。予め保持された緯糸の望ましくないまたは意図しない脱落を回避するために、差出し位置１０に位置していない糸ガイド穴は、遮蔽体１６によって閉鎖される。スリット１５が設けられている、遮蔽体１６として形成された手前側のディスクセグメントは、このディスクセグメントの外周に対して平行に延在する細長いスリット２０を有しており、この細長いスリットは分離部によって、スリット１５を形成している。相応の緯糸をグリッパに供給すべきである規定された糸ガイド穴とスリット１５とが一致した場合にだけ、緯糸を差出しニードル１２によって、偏向なしにグリッパ３に供給することができる。手前に位置するディスクセグメントにおけるスリット１５は、外周に対して半径方向に形成されている。遮蔽体１６として形成されているディスクセグメントは、好適にはカラーディスク１４に密に、好適にはカラーディスクに接して、配置されている。
【００４９】
緯糸２が差出し位置１０にあり、差出しニードル１２が、緯糸をグリッパ３に引き渡す準備ができている場合には、差出しニードル１２の下降により、緯糸２は、外側に向かって開かれている糸ガイド穴６から、遮蔽体１６に設けられたスリット１５を通って導出され、いずれにせよ、直接的なカラーディスク１４に関してどの縁部においても偏向されないので、緯糸２はその外面に、損傷または破損を受けない。
【００５０】
図２には、カラーディスク１４の形態の緯糸カラー選択装置１の装置が示されており、この装置は基本的には図１の図面に相当するが、図２の装置では、差出しニードル１２はその前端部に、二重の緯入れのために、２本の緯糸を同時に把持するための２つの凹部を、二重凹部２２として有していて、この二重凹部にはそれぞれ１本の緯糸２が位置している。差出しニードル１２の前端部における両凹部２１の間の間隔は、この場合、カラーディスク１４に設けられた開かれた糸ガイド穴６の間隔に実質的に相当するので、差出しニードル１２が下方に移動する際には、２本の緯糸２が、各糸ガイド穴６から導出され、二重緯入れのために共にグリッパ３へと供給される。図示した織布２４は、裁断耳または折り込まれた耳２５を有する織布の完成した部分と、織布の接合点から図面の右方向に向かっては、拡開された杼口１１とを示している。
【００５１】
図３には、ディスクセグメント状のカラーディスク１４と、同様にディスクセグメント状の遮蔽体１６とから成る二重の装置が示されている。図３では、両ディスクセグメントの二重の装置の緯糸挿入方向における手前側に位置する遮蔽体１６に続いて、糸ガイド穴６を有するカラーディスク１４が配置されている。ディスクセグメント状に形成されている遮蔽体１６は、その円形の周方向で、周面に対して平行に延びる細長いスリット２０を有しており、この細長いスリットは、外側に形成されている遮蔽体１６のリング状の張り出し部を貫通する分離部としてのスリット１５を成している。遮蔽体１６は不動の位置に位置しており、そのスリット１５は、このスリットを通して、カラーディスク１４の開かれた糸ガイド穴６から導出される緯糸をグリッパに供給することができるように、配置されている。図３には目下、一方の緯糸は、遮蔽体１６に設けられた、周の輪郭に沿った細長いスリット２０の内側で、意図しない脱落が生じないように保持されており、他方では、杼口１１に挿入するために設けられた緯糸２が、既にスリット１５を通って、ひいては、スリットに一致する相応のガイド穴６から導出されており、しかも、前端部に相応のフォーク状の凹部を有した差出しニードル１２によってグリッパ３に挟み込むために供給されていることが示されている。差出しニードルがグリッパ３に供給する緯糸をもたらす位置を、引渡し位置と言う。すなわち、図３に示した緯糸の状態は、カラーディスク１４の、相応の緯糸２をグリッパ３に供給すべき糸ガイド穴６が、遮蔽体１６のスリット１５に重ねられて、差出しニードル１２によってこの緯糸が、開かれた糸ガイド穴６からスリット１５を通して、図３に示された引渡し位置にもたらされた後に生じる状態である。引渡し位置では、グリッパ３におけるクランプ装置が、この緯糸を把持し、次いでこの緯糸を杼口内に挿入する。
【００５２】
図４には、本発明による第２の実施例が示されており、この実施例では、緯糸カラー選択装置１が、細長いエレメント１７として形成されていて、この細長いエレメントには、互いに隣接して、下方に向かって織布２４の方向に配置された糸ガイド穴６が設けられている。細長いエレメント１７として形成された糸ガイド４は、第１の駆動装置８によってずらされて、下方に向かって開かれた各糸ガイド穴６に配置された緯糸２が、第１の駆動装置８によって、非差出し位置（図示せず）から差出し位置１０へと長手方向にもたらされるようになっている。緯入れの方向で見て手前に位置する、細長いエレメント１７ａとして形成された第２の糸ガイド４は、閉じられた糸ガイド穴を有していてもよく、この場合、緯糸２が、互いに相前後して配置された両細長いエレメント１７，１７ａの間で著しく偏向されることはない。差出しニードル１２は、その前端部に凹部２１を有している。
【００５３】
図４により、細長い遮蔽体１８が、閉じられた穴を有する糸ガイド４と、開かれた穴を有する細長いエレメント１７との間に配置されていることが明確に示されている。例として、２本だけの緯糸が示されている。図４で右側に示された緯糸は目下、糸ガイド４によってアライメントされて、緯糸２は、不動に配置された細長い遮蔽体１８の、細長いエレメント１７の糸ガイド穴６が細長い遮蔽体１８のスリット１５にアライメントされている位置に正確に配置されているので、次いで、旋回ブラケット１９と、旋回ブラケット１９として形成された差出しニードルの前方領域に位置する相応の凹部２１とによって、緯糸を差出し位置１０からグリッパ３への引渡し位置へと糸ガイド穴６から正確にガイドすることができる。これに対して、図４で左側に配置された緯糸は、スリット１５の外側で細長い遮蔽体１８に配置されていて、したがって、偏向させずに相応の糸ガイド穴から導出することはできない。いずれにせよ、開かれた糸ガイド穴を閉鎖するのは、常に細長い遮蔽体１８であり、このことは、目下緯糸の挿入のために設けられてはいない全ての緯糸、もしくは相応に内部に収容される緯糸を含む全ての緯糸ガイド穴に当てはまる。
【００５４】
第２の駆動装置９を備えた旋回ブラケット１９として形成された差出しニードル１２は、グリッパガイドレール２６も含めてグリッパ３に係合し、杼口１１内へ挿入すべき緯糸２を、下方に向かって開かれた糸ガイド穴６から導出し、この緯糸を、偏向なしにグリッパ３へとガイドし、このグリッパは、この緯糸を挟んで、次いで杼口１１内へと挿入する。図４の緯糸挿入方向において手前に、すなわち最初に配置されている、糸ガイド４、もしくは、閉じられた穴を有する細長いエレメント１７ａは、同様にここに配置された第１の駆動装置８によって、実際の糸ガイド４もしくは細長いエレメント１７の動きに実質的に同期して動くので、グリッパ３に到る経路での緯糸２の付加的な偏向は回避される。
【００５５】
図５には、図４に対して変更された３次元的な図で、緯糸カラー選択装置１が示されており、この場合、図面の視線方向は、図４の場合のように主に上方からのものではなく、むしろ織布の側から示されている。このことは、糸ガイド穴６を備えた細長いエレメント１７，１７ａ、糸ガイド４のための第１の駆動装置８、旋回ブラケット１９のための第２の駆動装置９のような様々な構成群の空間的な配置を良好に示すことができるという利点を有している。図５には、旋回ブラケット１９が、細長いエレメント１７に設けられた外側に向かって開かれた糸ガイド穴から緯糸２をちょうど導出しているところが示されている。視点に関する理由により、細長い遮蔽体１８に設けられたスリット１５は、図５によるこの図では見えていない。
【００５６】
図１および図２および図３による第１の実施例と図４および図５による第２の実施例との両方で良好な織り条件を得るために、さらに、差出しニードル１２のフォーク状の凹部２１には、存在している糸張力に関する情報もしくは信号を与える緯糸張力測定センサ２３（図３参照）が配置されている。これにより、織り工程全体の間、糸張力を実質的に一定にすること、または良好な織り特性を保証する相応に所望の値に保持することができることを保証することができる。
【００５７】
旋回ブラケット１９および差出しニードル１２は、緯糸２をグリッパ３に引き渡した後、それぞれの出発位置へと戻される。
【００５８】
図６には、互いに平行な平面に配置された２つの部分カラーディスク、すなわち第１の部分カラーディスク１４．１と第２の部分カラーディスク１４．２とを備えた実施例のための第１の部分カラーディスクの基本形状が示されている。図６ａ）には、本発明による第１の部分カラーディスク１４．１が、外面１３に向かって開かれた糸ガイド穴６．１を有していることが示されている。部分カラーディスク１４．１の外側輪郭の湾曲に対して平行に、内側にずらされて、同じ湾曲で、細長いスリット２０．１が延在している。この細長いスリットは、図６ｂ）により配置された第２の部分カラーディスク１４．２へ緯糸２をガイドするために設けられており、これによって、外側に向かって開かれた糸ガイド穴６．２が、この糸ガイド穴６．２内にガイドされた、供給された緯糸を意図に反して紛失することが回避される。この湾曲した細長いスリット２０．１は、細長いスリット２０．１を第１の部分カラーディスク１４．１の外側に接続する通路１５．１を有している。
【００５９】
以下の図６ｂ）〜図６ｆ）では、挿入される緯糸２は、図面の見やすさの観点から、開かれた糸ガイド穴６．１および６．２内の小さい数字番号で示されている。
【００６０】
図６ｂ）には、第１の部分カラーディスク１４．１と第２の部分カラーディスク１４．２との二重の配置が示されている。さらに、一方では第１の部分カラーディスク１４．１の糸ガイド穴６．１からの緯糸の供給を、他方では第２の部分カラーディスク１４．２の糸ガイド穴６．２からの緯糸２の供給を、図６ｂ）および図６ｃ）に相応に示すために、差出しニードル１２が描かれている。両部分カラーディスク１４．１，１４．２は、互いに独立して旋回可能であるので、糸ガイド穴６．１，６．２の並設密度が維持されていれば、より大きな柔軟性およびより多数の緯糸が可能となる。図６ｂ）には、５の番号で示された緯糸２が、第１の部分カラーディスク１４．１の糸ガイド穴６．１から出て、差出しニードル１２によって把持され、グリッパに供給される様子が示されている。
【００６１】
図６ｃ）には、９の番号で示された緯糸が差出しニードル１２に把持された後、この緯糸２が、第２の部分カラーディスク１４．２の緯糸ガイド穴６．２から出て、通路１５．１を介してグリッパ３に供給される様子が示されている。
【００６２】
図６ｄ）には、２および３の番号で示された２本の緯糸を、二重緯入れのための差出しニードル１２によって、第１の部分カラーディスク１４．１の糸ガイド穴６．１から、差出しニードル１２によって把持して、グリッパ３に供給することができる様子が示されている。第２の部分カラーディスク１４．２は、この場合、側方に旋回させられているので、作用しない。
【００６３】
図６ｅ）には、二重緯入れの際の二重の部分カラーディスク１４．１，１４．２の配置が、さらなる特殊性を有していることが示されている。すなわち、組み合わされた緯糸を挿入すべき場合に、ここでは４の番号の緯糸を第１の部分カラーディスク１４．１の糸ガイド穴６．１から、かつここでは１１の番号の緯糸を第２の部分カラーディスク１４．２の糸ガイド穴６．２から、二重緯入れのために１つのグリッパ３に供給すべきである場合に、第２の部分カラーディスク１４．２の隣接する糸ガイド穴６．２を空にしなければならない（ｘで示す）ことが示されている。
【００６４】
類似の例が図６ｆ）に示されており、この場合は、第１の部分カラーディスク１４．１の糸ガイド穴６．１から出る４番の緯糸と、第２の部分カラーディスク１４．２から出る９番の緯糸とを、差出しニードル１２によって、二重緯入れのために１つのグリッパ３に供給すべきであることが示されている。グリッパ３への供給は、簡素化のために、図６ｂ）〜図６ｆ）には示されていない。
【００６５】
互いに平行な平面に配置された２つの部分カラーディスク１４．１，１４．２を備えた実施例は、糸ガイド穴６．１，６．２の側方の間隔が同じ場合、すなわち、並設密度が一定の場合には、カラー数の豊富さに関する利点を提供する。代替的には、側方の穴間隔の拡大および種々異なる緯糸の同じ本数の維持も可能である。全体として、二重緯入れのためにはより多数の組み合わせ可能性が提供される。原理的には、２つの部分カラーディスク１４．１，１４．２の配置により、これまで、１つのカラーディスクでしか作動していなかった既存のシステムに、緯糸に対するカラー数または種類数を増やすために後付することすらできる。
【００６６】
図７には、図１による基本構造に相当する緯糸カラー選択装置１の原理的な配置が示されているが、この場合、本発明の第２の態様により、２つの部分カラーディスク１４．１，１４．２が互いに平行な平面に、緯糸挿入方向において相前後して配置されている。主要な基本構造は、図１の基本構造に相当するので、同じ構成エレメントには同じ符号が付与されており、原理的な基本構造についてはここでは再度詳しく説明することはない。図７により、１つの遮蔽体１６に、１つの共通の旋回点もしくは１つの共通の旋回軸線によって、第１の部分カラーディスク１４．１と第２の部分カラーディスク１４．２とが配置されていることがわかる。両部分カラーディスクは、外面１３に開かれた糸ガイド穴６．１，６．２を有していて、これらの糸ガイド穴内には緯糸がガイドされ、ここから、差出しニードル１２によって、グリッパガイドレール２６上でガイドされているグリッパ３へと供給される。グリッパに差し出された緯糸２が、グリッパによって挟まれるとすぐに、杼口１１への緯糸の挿入が行われる。
【００６７】
例として図７には、予め保持された３本の緯糸が示されており、この場合、２本の緯糸は、第１の部分カラーディスク１４．１の糸ガイド穴６．１にガイドされていて、これに対して、第２の部分カラーディスク１４．２には、１本の緯糸が糸ガイド穴６．２でガイドされている。遮蔽体１６には、遮蔽体１６の外周に対して平行に延在する２つの細長いスリット２０が設けられている。差出しニードル１２は、緯糸の挿入方向において、両部分カラーディスク１４．１，１４．２の後方に配置されている。さらに、差出しニードル１２が、両部分カラーディスク１４．１，１４．２の旋回軸線の領域に配置されていて、緯糸を把持しかつ各部分カラーディスクの、外側に向かって開かれて解放されている糸ガイド穴６．１からグリッパに緯糸を導出するように運動させる方向付けを可能にするように配置されている。
【００６８】
原理的な図面には、第１の部分カラーディスク１４．１もしくは第２の部分カラーディスク１４．２のための２つの第１の駆動装置８．１および８．２が示されており、これらの駆動装置は、両部分カラーディスクを、互いに独立させて駆動するので、部分カラーディスク１４．１と１４．２とは互いに旋回可能である。互いに相対的な旋回により、緯糸数を増加すべき場合に、第１の部分カラーディスク１４．１のセグメント角度を増大させる必要はない。このためには、同様に外側に向かって開かれた糸ガイド穴６．２を有する、第１の部分カラーディスクに平行に配置された部分カラーディスク１４．２が設けられている。第２の部分カラーディスク１４．２の糸ガイド穴６．２でガイドされている緯糸は、原理的に、外側に向かって開かれた糸ガイド穴６．２から外へ滑り出るおそれがある。これを阻止するために、第１の部分カラーディスク１４．１には、第１の部分カラーディスク１４．１の外面の湾曲に相応して、この外面に対して平行に部分カラーディスクの内部で延在していて、第２の部分カラーディスク１４．２のための緯糸をガイドする細長いスリット２０．１が設けられている。第１の部分カラーディスク１４．１における細長いスリット２０．１から外側に向かって第１の部分カラーディスクの外面１３にまで到る通路１５．１は、第２の部分カラーディスク１４．２によって隠されているので、図７では見えない。差し出される緯糸、もしくはこの緯糸を支持している糸ガイド穴６．２が、通路１５．１と重なるように、第２の部分カラーディスク１４．２の供給すべき緯糸が、第１の部分カラーディスク１４．１に対して旋回させられている旋回状態では、差出しニードル１２が、第２の部分カラーディスク１４．２の糸ガイド穴６．２から、第１の部分カラーディスク１４．１の外側領域を通して緯糸を運び、グリッパ３に供給する。差出しニードル１２は、別個の第２の駆動装置９を有しているので、全部で３つの互いに独立して制御かつ作動させることができる駆動モータ８．１，８．２および９が設けられている。
【００６９】
互いに平行かつ互いに独立して可動な２つの部分カラーディスク１４．１，１４．２を設けることにより、差出し可能な、好適には異なる緯糸の数を含む、挿入すべき緯糸の柔軟性が高められる。
【００７０】
図８には、図７の緯糸カラー選択装置１の原理的な配置が示されているが、拡大された部分図で示されている。外側に向かって開かれた糸ガイド穴６．１と、外面１３から見て、開かれた糸ガイド穴６．１の後方に、湾曲した長孔装置として延在している細長いスリット２０．１とを備えた部分カラーディスク１４．１が明示されている。例として、互いに隣接する２つの糸ガイド穴６．１にガイドされている２本の緯糸２が示されていて、その端部はちょうど織布に接合されている。別の緯糸２は、グリッパ３のクランプ装置に向かってガイドするために、ちょうど差出しニードル１２に把持されているので、グリッパはこの緯糸を、次に杼口１１に挿入することができる。図示されたこの第３の緯糸は、第２の部分カラーディスク１４．２の糸ガイド穴６．２でガイドされていて、ここから既に差出しニードル１２によって導出されており、しかも、外側に向かって開かれた糸ガイド穴６．２から、第１の部分カラーディスク１４．１に設けられた細長いスリット２０．１から延びる図示されていない通路を通って導出されている。
【００７１】
同様の斜視図であっても幾分異なる図９には、図８に示された緯糸カラー選択装置１の構成が、緯糸挿入方向に向かう視線方向から見た３次元的な図で示されている。図を簡単にするために、第１の部分カラーディスク１４．１のための第１の駆動装置８．１、および第２の部分カラーディスク１４．２のための第１の駆動装置８．２が示されているだけである。第１の部分カラーディスク１４．１には、緯糸をガイドするための細長いスリット２０．１が示されていて、この緯糸は、杼口に挿入するために第２の部分カラーディスク１４．２を介してガイドされている。差出しニードル１２は、緯糸２を把持し、第２の部分カラーディスク１４．２の糸ガイド穴６．２から導出することができる位置にはまだない。この緯糸を、差出しニードル１２によって第２の部分カラーディスク１４．２から導出する前に、第２の部分カラーディスク１４．２は、まず、この緯糸をガイドする糸ガイド穴６．２が、第１の部分カラーディスク１４．１に設けられた通路１５．１と重なるまで、第２の部分カラーディスク１４．２への視線方向で見て右上方に向かって旋回させられなければならず、これにより、差出しニードル１２によって、この緯糸を、第２の部分カラーディスク１４．２から、第１の部分カラーディスク１４．１を通して、いわば通り抜けて、外部へとガイドすることができる。
【００７２】
図１０には、図７による緯糸カラー選択装置１の基本構造が示されており、図７による緯糸カラー選択装置の基本構造との唯１つの相違点は、二重緯入れのための差出しニードル１２が設けられていることである。このために差出しニードル１２は、緯糸を把持しかつ外側に向かって開かれた糸ガイド穴６．１からグリッパ３に供給することができる前端部で差出しニードル１２の頭部に二重凹部を有している。図１０によるこの例では、２本の緯糸が、第１の部分カラーディスク１４．１において互いに隣接する糸ガイド穴６．１内でガイドされている。第１の部分カラーディスク１４．１が遮蔽体１６に対して旋回させられて、遮蔽体１６における細長いスリット２０の通路が、２つの糸ガイド穴６．１を外側に向かって解放した後、２本の緯糸を、二重緯入れのために設けられた差出しニードル１２によってグリッパ３に供給する準備ができている。
【００７３】
本発明による緯糸カラー選択装置１のために必要な３つの駆動装置、すなわち、差出しニードル１２のための駆動装置９と、第１の部分カラーディスク１４．１のための駆動装置８．１と、第２の部分カラーディスク１４．２のための駆動装置８．２とが明示されており、これら３つの駆動装置は、各要素の駆動のために互いに独立して設けられている。
【００７４】
図１１には、図１０に示された図面が、後方から緯糸カラー選択装置１を見る視線方向で、すなわち緯入れの方向で示されている。不動に配置されている遮蔽体１６は、互いに同心的に、かつ外周に対して同心的に延在する２つの細長いスリット２０を有しており、これらのスリットはスリット１５を介して、細長いスリット２０内にガイドされた緯糸を外部へとガイドするためのそれぞれ１つの開口を外側に向かって有している。これにより緯糸は、図１１に示された３本の緯糸のうちの１本の緯糸に例示されるように、最終的に、外側に向かって開かれた糸ガイド穴６．１，６．２から、差出しニードル１２によって導出して、グリッパ３に供給することができる。差出しニードル１２からグリッパ３のクランプにちょうど引き渡されているこの緯糸は、既に細長いスリット２０からスリット１５を介して、そのガイドの外側へと導出され、ひいては、該当する部分カラーディスク１４．１の対応する糸ガイド穴６．１からも導出されている。さらに、第１の部分カラーディスク１４．１と第２の部分カラーディスク１４．２とが示されており、第２の部分カラーディスク１４．２は、視線方向の理由でほんの一部しか見えていない。図１１の上方部分に示された破線は旋回軸線を示しており、この旋回軸線を中心として第１および第２の部分カラーディスク１４．１，１４．２が互いに相対的にかつ互いに独立して旋回可能であり、この場合、遮蔽体１６は共に旋回可能であるのではなく、空間的に不動の位置を占めている。
【００７５】
図１２に示された別の実施例によれば、同じく第１の部分カラーディスク１４．１と第２の部分カラーディスク１４．２とが示されているが、これらは、図７〜図１１の実施例とは異なり、緯糸挿入方向で互いに平行な異なる平面に配置されているのではなく、これら両者は１つの平面に配置されている。部分カラーディスク１４．１と部分カラーディスク１４．２とは、遮蔽体１６に対して１つの共通の旋回点を有しており、遮蔽体に枢着されている。これらの部分カラーディスクは、互いに独立して旋回することができる。これはつまり、糸ガイド穴６．１を有する第１の部分カラーディスク１４．１は第１の駆動装置８．１を有していて、糸ガイド穴６．２を有する第２の部分カラーディスク１４．２は第１の駆動装置８．２を有しており、これに対して差出しニードル１２の駆動のためには別の駆動装置９が設けられていることを意味する。両部分カラーディスク１４．１および１４．２は、それぞれ１つの作動位置または休止位置をとることができる。この場合、各部分カラーディスク１４．１，１４．２は、４つの糸ガイド穴６．１，６．２を有しているので、これは、互いに調整されて一緒に旋回する場合には、８つの糸ガイド穴を有する１つだけのカラー選択ディスクであるのと同義である。１つの平面でカラー選択ディスクをこのように分割することは、例えば、一定の織り時間中に特定の緯糸が他の緯糸よりも頻繁に使用され、これに対して、別の部分カラーディスクでガイドされている個々の緯糸または別の緯糸はまれにしか使用されない場合に、原理的に有利である。このような場合、部分カラーディスクの移動距離を減じるために、そのとき必要ではない緯糸を有している部分カラーディスクを作動位置から休止位置へと旋回させることができる。これにより、各緯糸の移動距離ひいては各緯糸を準備する時間を減じることができる。その他の構造は、前述した実施例と同様に説明される。
【００７６】
図１３には、図１１と同様の図が示されており、この場合、２本の緯糸を同時に差し出すための、すなわち、二重緯入れのための差出しニードル１２が設けられているだけである。その他全ての機能および構造的特徴は、上述したものと同じであり、したがってここではそれ以上説明しない。
【００７７】
図１４には、緯糸カラー選択装置１の２本の緯糸が、いわば準備はされているが、１本だけの緯糸を差出しニードル１２によって挿入すべき、もしくは差出しニードル１２によってグリッパ３に供給すべき場合の図が示されている。このために、第２の部分カラーディスク１４．２が、通路１５．１と重なる位置にもたらされるので、差出しニードル１２によってこの緯糸を、第１の部分カラーディスク１４．１における細長いスリット２０．１から通路１５．１を介して、第１の部分カラーディスク１４．１からも導出し、把持して杼口１１に導入するためにグリッパ３に供給し、引き渡すことができる。
【００７８】
最後に、図１５には、二重緯入れのための図１３に示した図による基本構造が示されている。この基本構造では、二重緯入れのために、どのようにして差出しニードル１２が２本の緯糸をちょうど各糸ガイド穴６．１，６．２から把持し、糸ガイド穴から導出するのかが示されている。一方の緯糸は、この場合、第１の部分カラーディスク１４．１によってガイドされ、第２の緯糸は第２の部分カラーディスク１４．２によってガイドされ、第２の緯糸をガイドする第２の部分カラーディスクの糸ガイド穴６．２はちょうど通路１５．１に重ねられている。この場合、第２の部分カラーディスク１４．２は、第１の部分カラーディスク１４．１に対して、相応の糸ガイド穴６．２が通路１５．１と一致する位置へと旋回させられている。その他の機能およびその他の構造は、既に説明したものに一致する。
【符号の説明】
【００７９】
１  緯糸カラー選択装置
２  緯糸
３  グリッパ
４  糸ガイド
６  糸ガイド穴
６．１  第１の部分カラーディスクの糸ガイド穴
６．２  第２の部分カラーディスクの糸ガイド穴
８  第１の駆動装置
８．１  第１の部分カラーディスクの第１の駆動装置
８．２  第２の部分カラーディスクの第１の駆動装置
９  第２の駆動装置
１０  差出し位置
１１  杼口
１２  差出しニードル
１３  外面
１４  カラーディスク／ディスクセグメント
１４．１  第１の部分カラーディスク
１４．２  第２の部分カラーディスク
１５  スリット
１５．１  第１の部分カラーディスクの通路
１６  遮蔽体
１７  細長いエレメント
１７ａ  細長いエレメント
１８  細長い遮蔽体
１９  旋回ブラケット
２０  遮蔽体の細長いスリット
２０．１  第１の部分カラーディスクの細長いスリット
２１  差出しニードルの凹部
２２  二重凹部
２３  緯糸張力測定センサ
２４  織布
２５  折り込まれた耳／裁断耳
２６  グリッパガイドレール
【図１】
2022500573.tif 000003
【図２】
2022500573.tif 000004
【図３】
2022500573.tif 000005
【図４】
2022500573.tif 000006
【図５】
2022500573.tif 000007
【図６ａ）】
2022500573.tif 000008
【図６ｂ）】
2022500573.tif 000009
【図６ｃ）】
2022500573.tif 000010
【図６ｄ）】
2022500573.tif 000011
【図６ｅ）】
2022500573.tif 000012
【図６ｆ）】
2022500573.tif 000013
【図７】
2022500573.tif 000014
【図８】
2022500573.tif 000015
【図９】
2022500573.tif 000016
【図１０】
2022500573.tif 000017
【図１１】
2022500573.tif 000018
【図１２】
2022500573.tif 000019
【図１３】
2022500573.tif 000020
【図１４】
2022500573.tif 000021
【図１５】
2022500573.tif 000022
【手続補正書】
【提出日】令和3年5月11日(2021.5.11)
【手続補正１】
【補正対象書類名】特許請求の範囲
【補正対象項目名】全文
【補正方法】変更
【補正の内容】
【特許請求の範囲】
【請求項１】
緯糸カラー選択装置（１）を備えた織機であって、前記緯糸カラー選択装置によって、準備された複数の緯糸（２）のうちの個々の緯糸が、選択された順番でグリッパ（３）に供給可能であり、前記緯糸カラー選択装置は糸ガイド（４）を有しており、前記糸ガイドによって、給糸装置から供給された緯糸は、前記糸ガイド（４）を介して前記緯糸カラー選択装置（１）に供給可能であり、前記糸ガイドの第１の駆動装置（８）によって、前記糸ガイドの糸ガイド穴（６，６．１，６．２）を各差出し位置（１０）へともたらすことができ、前記糸ガイド穴（６，６．１，６．２）は、それぞれ少なくとも１本の緯糸（２）を、選択して前記グリッパ（３）に提供し、杼口（１１）に緯入れするために収容しており、差し出される前記緯糸は、第２の駆動装置（９）によって駆動される差出しニードル（１２）によって、前記差出し位置（１０）で前記グリッパ（３）に供給可能である、織機において、
前記緯糸カラー選択装置（１）の各糸ガイド穴（６，６．１，６．２）は、少なくとも前記差出し位置（１０）で外面（１３）に向かって開かれており、前記糸ガイド穴を介して、選択された各緯糸が前記グリッパ（３）に差出し可能であって、前記グリッパに前記差出しニードル（１２）によって引渡し可能であり、前記差出しニードルは前記緯糸を偏向なしに、前記糸ガイド穴（６，６．１，６．２）から、前記糸ガイド穴（６，６．１，６．２）の開かれた前記外面（１３）を介して導出することを特徴とする、織機。
【請求項２】
前記緯糸カラー選択装置（１）はカラーディスク（１４）を有しており、前記カラーディスクの糸ガイド穴（６，６．１，６．２）は、前記カラーディスクの外周領域に配置されていて、前記外面（１３）に向かって半径方向に延在するそれぞれ１つの開口を有していることを特徴とする、請求項１記載の織機。
【請求項３】
前記差出しニードル（１２）は、前記カラーディスク（１４）に関して、前記カラーディスク（１４）に対して半径方向に延びる少なくとも１つの方向成分でもって前記緯糸（２）を前記グリッパ（３）に引き渡すことを特徴とする、請求項１または２記載の織機。
【請求項４】
前記差出し位置（１０）に位置していない前記糸ガイド穴（６，６．１，６．２）は、前記各緯糸（２）を前記各糸ガイド穴（６，６．１，６．２）内に保持するための、スリット（１５）を有する遮蔽体（１６）によって閉鎖可能であり、前記カラーディスク（１４）は、前記スリット（１５）が、前記緯糸（２）を前記差出し位置（１０）から前記グリッパ（３）に引き渡すことができる前記糸ガイド穴（６，６．１，６．２）のみを常に解放するように、前記第１の駆動装置（８）によって前記遮蔽体（１６）に対して回動可能であることを特徴とする、請求項２または３記載の織機。
【請求項５】
前記カラーディスク（１４）は少なくとも２つの部分から形成されていて、第１の部分カラーディスク（１４．１）と第２の部分カラーディスク（１４．２）とを有しており、前記両部分カラーディスクは、制御可能な駆動装置（８．１，８．２）によって、互いに独立して駆動されていて、それぞれ前記外面に向かって開かれた糸ガイド穴（６，６．１，６．２）を有していることを特徴とする、請求項２から４までのいずれか１項記載の織機。
【請求項６】
前記第２の部分カラーディスク（１４．２）は、緯糸挿入方向で見て、前記第１の部分カラーディスク（１４．１）の平面に対して平行な平面に配置されていることを特徴とする、請求項５記載の織機。
【請求項７】
前記第１の部分カラーディスク（１４．１）は、その外周の湾曲に対して平行に形成された細長いスリット（２０．１）を有しており、前記細長いスリットは、前記第１の部分カラーディスク（１４．１）において、その外周を分離する通路（１５．１）を有しており、これにより、前記細長いスリット（２０．１）内でガイドされる緯糸（２）は、前記通路（１５．１）を介して前記差出しニードル（１２）によって前記グリッパ（３）に供給可能であることを特徴とする、請求項５または６記載の織機。
【請求項８】
前記通路（１５．１）は、前記第１の部分カラーディスク（１４．１）の中間に配置されていることを特徴とする、請求項７記載の織機。
【請求項９】
前記第１の部分カラーディスク（１４．１）と前記第２の部分カラーディスク（１４．２）とは、前記第２の部分カラーディスク（１４．２）の１つの糸ガイド穴（６．２）から１本の緯糸（２）を供給するために、前記１つの糸ガイド穴（６．２）を前記通路（１５．１）に重ねかつ前記差出しニードル（１２）によって前記第２の部分カラーディスク（１４．２）から前記第１の部分カラーディスク（１４．１）を介して前記グリッパ（３）に供給することができるように、互いに相対的に旋回可能に駆動されていることを特徴とする、請求項７または８記載の織機。
【請求項１０】
前記第１の部分カラーディスク（１４．１）の１つの糸ガイド穴（６．１）からの第１の緯糸と、前記第２の部分カラーディスク（１４．２）の１つの糸ガイド穴（６．２）からの第２の緯糸とを、前記差出しニードル（１２）によって把持し、前記グリッパ（３）に供給する二重緯入れのために、前記第２の緯糸をガイドする前記糸ガイド穴（６．２）に隣接して配置されている糸ガイド穴（６．２）内には緯糸が位置していないことを特徴とする、請求項５から９までのいずれか１項記載の織機。
【請求項１１】
前記第１の部分カラーディスク（１４．１）と前記第２の部分カラーディスク（１４．２）とは１つの平面に配置されていて、それぞれ、緯糸を前記グリッパ（３）に差し出すことができる作動位置から、緯糸（２）を前記グリッパ（３）に差し出さない休止位置へと旋回可能であることを特徴とする、請求項５記載の織機。
【請求項１２】
前記緯糸カラー選択装置（１）は、少なくとも１つの細長いエレメント（１７）として形成されており、前記細長いエレメントには、それぞれ１本の緯糸（２）をガイドする複数の糸ガイド穴（６）が互いに隣接して配置されていて、前記グリッパ（３）に面した外面（１３）で開かれていることを特徴とする、請求項１記載の織機。
【請求項１３】
前記細長いエレメント（１７）は、少なくとも１つのリニアモータの形態の前記第１の駆動装置（８）によって、前記グリッパ（３）にちょうど引き渡すべき緯糸（２）をガイドしている糸ガイド穴（６）を差出し位置（１０）へともたらすように、前記細長いエレメントの長手方向の延在において移動可能であることを特徴とする、請求項１２記載の織機。
【請求項１４】
前記差出し位置（１０）に位置していない前記糸ガイド穴（６）は、前記各緯糸（２）を前記各糸ガイド穴（６）内に保持するための、スリット（１５）を有する細長い遮蔽体（１８）によって閉鎖可能であり、前記細長いエレメント（１７）は、前記スリット（１５）に対して選択された前記差出し位置（１０）に位置している前記糸ガイド穴（６）のみが開かれているように、前記細長い遮蔽体（１８）に対して移動可能であることを特徴とする、請求項１２または１３記載の織機。
【請求項１５】
前記細長いエレメント（１７）は２つの別個の部材から成っており、両部材は、それぞれ移動のためにリニアモータを有していることを特徴とする、請求項１２から１４までのいずれか１項記載の織機。
【請求項１６】
前記差出しニードルは、旋回ブラケット（１９）として形成されていて、前記旋回ブラケットを非差出し位置から前記差出し位置（１０）を介して、選択された前記緯糸を前記グリッパに引き渡すことができる引渡し位置まで旋回させるための駆動装置を有しており、前記旋回ブラケット（１９）は、緯入れのために、前記細長いエレメント（１７）内に予め保持された前記緯糸（２）に前記旋回ブラケット（１９）が接触なしに上方から係合するようなブラケット高さで形成されていることを特徴とする、請求項１２から１５までのいずれか１項記載の織機。
【請求項１７】
前記差出しニードル（１２）は、前記グリッパ（３）への前記緯糸（２）の差出しの際に側方からの前記緯糸（２）の紛失を阻止する少なくとも１つの凹部（２１）を有していることを特徴とする、請求項１から１６までのいずれか１項記載の織機。
【請求項１８】
前記差出しニードル（１２）は、二重緯入れのために、二股フォークの形態の１つの二重凹部（２２）を有していることを特徴とする、請求項１から１７までのいずれか１項記載の織機。
【請求項１９】
それぞれ１本の緯糸（２）の挿入のための２つの差出しニードル（１２）が設けられていることを特徴とする、請求項１から１７までのいずれか１項記載の織機。
【請求項２０】
前記差出しニードル（１２）は、各緯糸（２）を前記グリッパ（３）にもたらす前記凹部（２１）内に、前記緯糸の張力と、緯止め装置として緯糸（２）の存在とを測定することができる緯糸張力測定センサ（２３）を有していることを特徴とする、請求項１から１９までのいずれか１項記載の織機。
【国際調査報告】
2022500573.tif 000023
2022500573.tif 000024
2022500573.tif 000025
2022500573.tif 000026
2022500573.tif 000027